(57)【要約】【課題】画像情報を付属しない音声情報コンテンツを再生しているとき、未再生の録画番組を画面に表示して、利用者にとって重要な番組を利用者が認知する機会を得ることができる録画再生装置を提供する。【解決手段】録画再生装置は、放送番組を録画する録画手段と、録画された前記放送番組を再生する再生手段と、画像情報を付属しない音声情報コンテンツを再生する音声情報コンテンツ再生手段と、前記音声情報コンテンツを再生したとき、未再生の録画番組の映像を画面に表示する表示手段とを有する。【選択図】図５
2015039060.tif 000002
【特許請求の範囲】
【請求項１】
放送番組を録画する録画手段と、
録画された前記放送番組を再生する再生手段と、
画像情報を付属しない音声情報コンテンツを再生する音声情報コンテンツ再生手段と、
前記音声情報コンテンツを再生したとき、未再生の録画番組の映像を画面に表示する表示手段と
を有する録画再生装置。
【請求項２】
前記表示手段は、前記未再生の録画番組の番組情報の一部を前記映像の近辺に表示する請求項１記載の録画再生装置。
【請求項３】
前記表示手段は、前記音声情報コンテンツの再生を停止して前記映像が画面に表示されていた前記未再生の録画番組を再生するための再生ボタンを前記映像の近辺に表示する請求項１記載の録画再生装置。
【請求項４】
利用者によって前記再生ボタンが選択されると、前記音声情報コンテンツの再生を停止して前記映像が画面に表示されていた前記未再生の録画番組を再生する制御部を有する請求項３記載の録画再生装置。
【請求項５】
前記表示手段は、前記映像が画面に表示されていた前記未再生の録画番組の番組情報にマークを付加するためのマーク付加ボタンを前記映像の近辺に表示する請求項１記載の録画再生装置。
【請求項６】
利用者によって前記マーク付加ボタンが選択されると、前記映像が画面に表示されていた前記未再生の録画番組の前記番組情報にマークを付加する制御部を有する請求項５記載の録画再生装置。
【請求項７】
前記表示手段は、所定時間が経過すると他の未再生の録画番組の映像に切り替える請求項１記載の録画再生装置。
【請求項８】
前記表示手段は、前記音声情報コンテンツの番組情報の一部を前記映像の近辺に表示する請求項１記載の録画再生装置。
【請求項９】
放送番組を録画する録画手段と、
録画された前記放送番組を再生する再生手段と、
画像情報を付属しない音声情報コンテンツを再生する音声情報コンテンツ再生手段と、
未再生の録画番組の番組情報から利用者が入力したキーワードと合致するキーワードを取得するキーワード取得手段と、
前記音声情報コンテンツを再生したとき、前記キーワードを有する未再生の録画番組の映像を画面に表示する表示手段と
を有する録画再生装置。
【発明の詳細な説明】
【技術分野】
【０００１】
本発明の実施形態は、デジタル放送によって受信した番組を録画することが可能な録画再生装置に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、約１週間先までの番組表が表示でき、放送時間や出演者など、番組内容の表示や知りたい情報の検索、番組の視聴予約や録画予約を行うことができる。
【０００３】
チャンネル数の増加に伴い、利用者が視聴したい番組の放送時間が増大し、また放送時間が重複したりすることが起きるため、番組を録画して利用者の都合に合わせた時間に視聴する機会が増えてきた。複数のチューナと比較的大きな記憶容量を有する記録装置を用いて、複数のチャネルの番組を同時に録画できるデジタル放送受信機が登場している。また、利用者が直接番組を指定して録画するだけではなく、利用者が指定したキーワードや嗜好に合致した番組を自動的に録画する機能を備えた録画再生装置が増えてきている。
【先行技術文献】
【特許文献】
【０００４】
【特許文献１】特開２００４−２３６０７４号公報
【発明の概要】
【発明が解決しようとする課題】
【０００５】
ユーザーが指定したキーワードや嗜好に合致した番組を自動的に録画する機能を使用すると、利用者が意図しなかった多数の番組が次々と録画される場合がある。従来の録画再生装置では、このような手段で録画された多数の番組の中から利用者が本当に視聴したい番組を選別する為に、視聴したいであろう番組を検索し、この検索された番組のサムネイル画像を表示させるといった特別な検索表示手段を搭載していた。従って利用者は自発的に実際に視聴したい番組を探す作業をする必要があった。
【０００６】
自動的に録画された番組は、利用者が個別に指定して録画した番組に対して利用者の視聴の優先度が低いため、利用者が自ら作業を行って、自動的に録画された番組の中から視聴したい番組を選出しなければならず面倒である。この結果として、装置が自動的に録画された多数の番組の中に埋もれている利用者にとって重要な番組を選別できずに見逃してしまう可能性が高くなる。
【０００７】
本発明の目的は、上記したような事情に鑑み成されたものであって、画像情報を付属しない音声情報コンテンツを再生しているとき、未再生の録画番組を画面に表示して、利用者にとって重要な番組を利用者が認知する機会を得ることができる録画再生装置を提供することである。
【課題を解決するための手段】
【０００８】
上記目的を達成するために、実施形態によれば、録画再生装置は、放送番組を録画する録画手段と、録画された前記放送番組を再生する再生手段と、画像情報を付属しない音声情報コンテンツを再生する音声情報コンテンツ再生手段と、前記音声情報コンテンツを再生したとき、未再生の録画番組の映像を画面に表示する表示手段とを有する
【図面の簡単な説明】
【０００９】
【図１】第１の実施形態に係る録画再生装置の構成を示すブロック図。
【図２】録画再生装置の概観を示した斜視図。
【図３】リモコンの実施形態を示した概観図。
【図４】画面に表示された音声情報コンテンツウィンドウを示した図。
【図５】画面に表示された未再生番組映像ウィンドウを示した図。
【図６】画面に表示された未再生番組映像ウィンドウの別の表示例を示した図。
【図７】未再生番組表示の処理のフローチャート。
【図８】録画番組選択画面を示した図。
【図９】第２の実施形態に係る録画再生装置の構成を示すブロック図。
【図１０】画面に表示された検索キーワード入力ウィンドウを示した図。
【発明を実施するための形態】
【００１０】
以下実施形態について図面を参照しながら説明する。
【００１１】
（第１の実施形態）
図１は、第１の実施形態の録画再生装置１の構成を示したブロック図である。アンテナ２は、放送局２９から送信された放送電波を受信するための地上デジタル放送あるいは衛星デジタル放送用のアンテナである。
【００１２】
チューナ３は、地上デジタル放送あるいは衛星デジタル放送の放送信号の中から所望のチャンネルの放送信号を選局する。チューナ３は、複数のチューナユニットから構成されており、同時に複数の放送を受信することができる。
【００１３】
復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部５に出力される。また、復調器４は、送受信部２３を介してインターネット等のネットワーク３０から受信したＩＰ放送も復調する。
【００１４】
デコード処理部５は、ＭＰＥＧデコーダ、映像音声デコーダ等の機能を有する。デコード処理部５は、復調器４から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１５】
また、デコード処理部５は、記録装置１８から入力された映像データ及び音声データをデコードする。更に、デコード処理部５は、外部記憶装置２０から入力された映像データ及び音声データをデコードする。例えば、外部記憶装置２０の一例としてＵＳＢメモリが録画再生装置１に接続され、デコード処理部５がこのＵＳＢメモリ内に記録されたＭＰ３（MPEG Audio Layer-3）ファイル等の音声情報コンテンツのデータをデコードし、音声処理部１０へ出力する。
【００１６】
重畳処理部６は、デコード処理部５からの映像データと、バス１２を介して転送されるデータ放送やＧＵＩ（Graphical User Interface）データ生成部２５によるウィンドウ描画をプレーン管理して、映像データとの重ね合わせを行い、映像処理部７に送る。
【００１７】
映像処理部７は、表示装置８で表示可能なフォーマット（画素数、フレーム周波数、走査方式）に変換したり、表示色を任意に調整したりして、表示装置８に出力して映像を画面９に表示させる。
【００１８】
音声処理部１０は、デコード処理部５から伝送されたデジタルの音声データや音声情報コンテンツのデータを、スピーカ１１あるいはイヤーホーンで再生可能なアナログ音声信号に変換した後、スピーカ１１あるいはイヤーホーンに出力して音声を再生させる。なお、表示装置８やスピーカ１１は録画再生装置１の外部にあってもよい。また録画再生装置１と別の筐体に納められていてもよい。
【００１９】
録画再生装置１は、上記した受信動作を含むその全ての動作を制御部１３によって統括的に制御されている。制御部１３はＭＰＵ（Micro Processing Unit）１４が搭載されており、バス１２を介して接続された各構成要素を制御する。
【００２０】
ＲＡＭ（Random Access Memory）１５は、制御部１３のデータ処理に必要な各種データを格納するリード／ライトメモリであり、映像データ等を格納するバッファメモリとして動作する。ＲＯＭ（Read Only Memory）１６は読出し専用メモリであり、ＭＰＵ１４が実行する制御のプログラムなどを格納している。
【００２１】
フラッシュメモリ１７は、書き換え可能であり、電源を切ってもデータが消えない不揮発性の半導体メモリである。フラッシュメモリ１９は、録画番組情報、録画予約情報等を記憶する機能を有する。
【００２２】
録画再生装置１は、放送番組を録画する録画手段を備えている。記録装置１８は、ＨＤＤ（Hard Disk Drive）、ＳＳＤ（Solid State Drive）或いはＯＤＤ（Optical Disc Drive）等を含む録画手段である。記録装置１８には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤ或いはＯＤＤに記録され、また再生される。再生データは、デコード処理部５でデコードされる。
【００２３】
外部インターフェース１９は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）、ＳＤ（Secure Digital）（登録商標）メモリカード、ＨＤＭＩ（High Definition Multimedia Interface）（登録商標）等のインターフェースであり、ＵＳＢメモリやＵＳＢ外部機器、ＳＤメモリカード、ＨＤＤ、ＳＳＤ、ＣＤ、ＤＶＤ、Blu-ray（登録商標）記録再生機等のドライブ類を含む外部記憶装置２０が接続される。
【００２４】
外部インターフェース１９を介して外部記憶装置２０に放送番組を録画することができる。また、画像情報を付属しない音声情報コンテンツを記録することができる。記録装置１８または外部記憶装置２０のどちらに録画するかを利用者が選択できる。また、録画再生装置１は、外部記憶装置２０に記録された映像または画像情報を付属しない音声情報コンテンツを再生することができる。
【００２５】
操作受信部２１は、操作機器２２から送信される操作信号を受信し、制御部１３に転送する。操作機器２２は、例えば、赤外線あるいはBluetooth等による無線通信を利用したリモコン（リモートコントローラ、remote controller）、有線式あるいは無線式キーボード等であり、操作信号を送出する。操作受信部２１は、これらリモコン、キーボード等から操作信号を受信する。
【００２６】
録画再生装置１は、送受信部２３を介してインターネット等のネットワーク３０に接続されている。これにより、録画再生装置１は、ネットワーク３０上にあるサーバ３１等の機器と送受信部２３を介して情報伝送を行なうことができる。
【００２７】
図２は、録画再生装置１の概観を示した斜視図である。録画再生装置１は、筐体４０と、筐体４０を支持するスタンド４１を備えている。筐体４０は前面側に液晶パネルやＰＤＰパネル等の表示パネル４２が配置され、表示パネル４２の背面側に表示パネル４２を支持する図示しないフレームが配置されている。フレームには表示パネル４２を駆動するための図示しない回路基板や電源回路が設置されている。
【００２８】
筐体４０の前面側と上面、底面、両側側面の一部を覆う前面カバー４３と、筐体４０の背面側と上面、底面、両側側面の一部を覆う背面カバー４４とによって外面が囲まれている。画面９は、表示パネル４２の前面カバー４３の窓部４３ａの内側の表示部分である。
【００２９】
図３は、リモコン５０の実施形態を示した概観図である。リモコン５０は赤外線あるいはBluetooth等による無線通信を利用して、録画再生装置１の操作受信部２１へ操作信号を送る。電源ボタン５１は、録画再生装置１の電源をオンまたはオフする。詳細には録画再生装置１を待機状態から動作状態、または動作状態から待機状態にするボタンである。
【００３０】
選局ボタン５２は、チャンネル番号を直接選択する１から１２までの番号が振られたボタンである。また、選曲ボタン５２は、文字を入力するときにも用いられる。録画再生装置１が文字入力のモードに設定された状態で文字入力が可能となる。携帯電話と同様な入力操作で文字を入力する。チャネル送りボタン５３は、チャネル番号を順送りまたは逆送りで選局するボタンであり、選局ボタン５２と同様にチャネルを選局するときに用いられる。音量調整ボタン５４は、番組を視聴するときの音量を調整するボタンである。
【００３１】
カーソルボタン５５は表示装置８の画面９に表示されたＧＵＩ画面の各種の情報ウィンドウ内のカーソルの移動や各種項目の選択ボタンの移動を行うためのボタンである。左方向カーソルボタン５５ａはカーソルを左方向に移動させるときに用いるボタンである。右方向カーソルボタン５５ｂ、上方向カーソルボタン５５ｃ、下方向カーソルボタン５５ｄはそれぞれカーソルを右方向、上方向、下方向に移動させるときに用いる。決定ボタン５６は、カーソルボタン５５ａ〜５５ｂで移動した先の位置または画面上のボタンを実行するときに用いられる。
【００３２】
番組表ボタン５７は、番組表を画面９に表示するときに操作する専用の操作ボタンである。メニューボタン５８は、録画再生装置１に用意された各種の設定項目を表示するときに押下するボタンである。利用者は、階層表示された複数の項目の中から目的の設定項目を選択する。
【００３３】
終了ボタン５９は、一連の操作を終了するときに操作するボタンである。録画番組ボタン６０は録画番組のリストを表示するためのボタンである。録画番組のリストの表示形式は複数あり、利用者が選択できる。記録装置操作ボタン６１は、記録装置１８に記録された番組を視聴する際に、再生、停止、一時停止、早送り再生、早戻し再生、次番組スキップ、先頭戻り・前番組スキップするためのボタンである。
【００３４】
図１において、制御部１３は、録画管理部２４、ＧＵＩデータ生成部２５、未再生番組表示制御部２６の機能を有する。これらの機能は、制御部１３のＭＰＵ１４が実行するアプリケーションであり、通常はＲＯＭ１６に格納されており、使用時にはＭＰＵ１４によって読み出され実行される。
【００３５】
録画管理部２４は、記録装置１８あるいは外部記憶装置２０に録画された番組を管理する。録画管理部２４は、録画された番組の番組情報（放送局名、放送日時、番組名、放送概要、出演者、番組詳細等）、録画時間、録画番組が再生済みか未再生かの区別等を、フラッシュメモリ１７、または記録装置１８に記録し、録画番組の情報を管理する。
【００３６】
録画再生装置１は、複数のチューナ３を搭載しており、複数の番組について同時に録画指定を行うことが可能である。利用者は、画面９上の電子番組表（ＥＰＧ：Electronic Program Guide）を見ながら、番組を選択して録画または録画予約することができる。
【００３７】
ＥＰＧは多チャンネル化が進む中で利用者が容易に番組を選択することを目的に提供されている。新聞などにおけるテレビ番組欄の表示様態を真似て録画再生装置１の画面９上に表示される。利用者は、画面９の番組表を見ながらリモコン５０を使って番組選択や詳細情報の表示、録画予約に利用する。
【００３８】
ＥＰＧデータによる番組表の表示様態は放送受信機メーカや録画再生装置の機種によって異なっているが、録画再生装置１においては、上述した新聞などにおけるテレビ番組欄のように横方向にチャンネル軸、縦方向に時間軸として表示し現在時刻以降に放送される番組が並ぶように表示されている。番組を選択するとその番組の番組名、放送日時以外に、番組のジャンル、出演者や番組内容等の詳細情報が表示される。
【００３９】
ＥＰＧデータは映像・音声などと同様にパケット化され、多重されて送信されている。番組情報のデータは、ＳＩ(Service Information、番組配列情報)のＥＩＴ(Event Information Table)に含まれており、デコード処理部５から出力された情報を制御部１３が解析してプログラムに従って番組表を生成し、ＧＵＩデータ生成部２５が番組表のＧＵＩ画面を生成する。生成された番組表は、重畳処理部６、映像処理部７を経て画面９に表示される。
【００４０】
録画再生装置１は、番組のジャンル、キーワードなどの条件を指定して録画予約できる。利用者が予め指定した１個または複数の録画用キーワードに合致した番組情報を含む番組を自動的に録画する機能を備えている。制御部１３は、利用者が予め指定した１個または複数の録画用キーワードをフラッシュメモリ１７に記憶させ、録画管理部２４は、この録画用キーワードを番組情報に含む番組を抽出し録画できる設定を有する。
【００４１】
ＧＵＩデータ生成部２５は、ＧＵＩ（Graphical User Interface）データを生成し、この生成されたＧＵＩデータはバス１２を介して重畳処理部６へ送信される。重畳処理部６に送付されたＧＵＩデータは、例えばテレビ番組の映像データに重畳処理されたり、或いはＧＵＩ単独画面として処理され、映像処理部７へ伝送され画面９に表示される。
【００４２】
未再生番組表示制御部２６は、画像情報を付属しない音声情報コンテンツが再生されているとき、利用者の指示に基づいて録画番組の中で未再生の録画番組の映像情報を画面に表示させる機能を有する。また、画像情報を付属しない音声情報コンテンツが再生されているとき、利用者の指示に基づいて未再生の録画番組の映像情報を画面に表示するか否かを設定する機能を有する。未再生番組表示制御部２６は、録画管理部２４から録画番組が再生済みか未再生かのデータを受けてＧＵＩデータ生成部２５を介して未再生の録画番組の映像情報を画面に表示する。
【００４３】
画像情報を付属しない音声情報コンテンツとは、例えば、画像情報を付属しないデジタルラジオ放送である。画像情報とは、動画像情報や静止画像情報である。録画再生装置１は、デジタルラジオ放送を受信し再生することが可能である。また、デジタルラジオ放送による番組を記録したものであってもよい。また例えば、外部記憶装置２０の一例としてＵＳＢメモリが録画再生装置１に接続され、ＵＳＢメモリ内に記録されたＭＰ３ファイルによる音声情報コンテンツを再生する場合がある。
【００４４】
図４は、画像情報を付属しない音声情報コンテンツが再生されているときに、画面９に表示された音声情報コンテンツウィンドウ７０を示した図である。音声情報コンテンツウィンドウ７０には、曲名、作者（作曲者）、演奏者等が表示される。但し、例えば、音声情報コンテンツのＭＰ３ファイル内に曲名、作者（作曲者）、演奏者等のデータが記録されていない場合には、これら情報は表示されない。図４において、音声情報コンテンツウィンドウ７０内には、曲名が「交響曲第41番 ハ長調 K.551『ジュピター』」、作者が「ヴォルフガング・アマデウス・モーツァルト」、演奏が「関東ハーモニック楽団」と表示されている。
【００４５】
音声情報コンテンツウィンドウ７０内には、プログレスバー７１が表示されている。プログレスバー７１は、再生されている音楽の進行状況を表す棒状のグラフである。図４に示したプログレスバー７１において、斜線部分が演奏済みの部分である。プログレスバー７１の右側に表示されている時間は演奏されている音楽の全体の演奏時間である。
【００４６】
図５は、画像情報を付属しない音声情報コンテンツが再生されているときに、画面９に表示された未再生番組映像ウィンドウ７２を示した図である。未再生番組表示制御部２６は、音声情報コンテンツを再生するとき、利用者の指示に基づいて記録装置１８あるいは外部記録装置２０に記録された未再生の録画番組の映像情報を画面に表示する。画像情報を付属しない音声情報コンテンツが再生されているときに、未再生の録画番組の映像を画面９の一部に表示し、利用者にとって重要な番組を利用者が認知する機会を得ることができる。未再生の録画番組の映像は縮小映像であってもよいし画面９の全画面に表示されてもよい。図５においては、縮小映像で表示された例が示されている。
【００４７】
画像情報を付属しない音声情報コンテンツが再生されているときに、画面９に未再生番組映像ウィンドウ７２を表示させるには、利用者がリモコン５０のメニューボタン５８を押下し、音声情報コンテンツ再生の設定の中から、未再生番組映像表示を選択し決定ボタンを押下することにより設定する。
【００４８】
図５において、未再生番組映像ウィンドウ７２と同時に未再生番組情報ウィンドウ７３、即時視聴ボタン７４、お気に入りマーク付加ボタン７５が未再生番組映像ウィンドウ７２の近辺に表示されている。また、再生中の音声情報コンテンツの音声情報コンテンツウィンドウ７０も同時に表示されている。未再生番組表示制御部２６は、未再生番組情報ウィンドウ７３、即時視聴ボタン７４、お気に入りマーク付加ボタン７５を表示する機能を有する。未再生番組情報ウィンドウ７３は、未再生番組映像ウィンドウ７２に表示されている番組の番組情報の一部を表示するウィンドウである。番組情報として、放送日、放送局名、番組名、番組概要、出演者等が表示される。未再生番組映像ウィンドウ７２が全画面に表示される場合には、音声情報コンテンツウィンドウ７０は、未再生番組映像ウィンドウ７２上に重ねて表示される。
【００４９】
即時視聴ボタン７４は、利用者が未再生番組映像ウィンドウ７２を見ているとき、この未再生の番組を直ちに視聴したい場合に、音楽情報番組を停止してこの未再生番組の再生画面に切り替えるための再生ボタンである。図５において、即時視聴ボタン７４は、画面上では例として、「この番組を直ぐ見る」と表示され、利用者が視聴したい場合にこのボタンの選択（例えば、リモコン５０のカーソルボタン５５ａ〜５５ｄを押下することによるボタンの選択）、決定（例えば、リモコン５０の決定ボタン５６を押下することによる決定）の操作を促す表示となっている。
【００５０】
お気に入りマーク付加ボタン７５は、利用者が未再生番組映像ウィンドウ７２を見ているとき、後でこの未再生番組を視聴したいと思ったときに、録画番組選択画面においてこの未再生番組にお気に入りマークが付加されて表示されるようにするためのマーク付加ボタンである。利用者は録画番組の中からお気に入りマークが付加された番組を検索することにより未再生番組の中で注目した番組を優先して視聴することができる。図５において、お気に入りマーク付加ボタン７５は、画面上では例として、「お気に入りマークをつける」と表示され、利用者がお気に入りマークを付加したい場合にこのボタンの選択（例えば、リモコン５０のカーソルボタン５５ａ〜５５ｄを押下することによるボタンの選択）、決定（例えば、リモコン５０の決定ボタン５６を押下することによる決定）の操作がしやすい表示となっている。なお、これら未再生番組情報ウィンドウ７３、即時視聴ボタン７４、お気に入りマーク付加ボタン７５は３個とも表示される必要はなく、また、１個も表示されなくてもよい。
【００５１】
図５において、未再生番組映像ウィンドウ７２に表示される未再生番組の映像は所定時間表示された後に次の未再生番組に切り替わる。次の未再生番組とは記録装置１８あるいは外部記録装置２０に記録された他の未再生番組である。所定時間は例えば３０秒〜３分であり、利用者が随意に選択できる。利用者が即時視聴ボタン７４を操作したとき以外は、所定時間表示された後に次の未再生番組に切り替わり、所定時間毎に次の未再生番組の映像が表示される。未再生番組映像ウィンドウ７２の映像が切り替わると、同時に未再生番組情報ウィンドウ７３の番組情報も映像に対応して切り替わる。未再生番組表示制御部２６は、録画管理部２４から録画番組が再生済みか未再生かのデータを受けて次の未再生番組に切り替える。
【００５２】
図６は、画像情報を付属しない音声情報コンテンツが再生されているときに、画面９に表示された未再生番組映像ウィンドウの別の表示例を示した図である。未再生番組映像ウィンドウ５１の内部が複数個の領域に分割され、それぞれの領域に一つの未再生番組における再生時間の異なる複数の画像が表示される。
【００５３】
図６において、未再生番組映像ウィンドウ７６は、７６ａ、７６ｂ、７６ｃ、７６ｄの４個の領域に分割されている。７６ａに表示された縮小映像は、番組の最初から再生された映像である。７６ｂに表示された縮小映像は、７６ａに表示された縮小映像に対して再生時間が５分後の縮小映像が表示されている。７６ｃに表示された縮小映像は、７６ａに表示された縮小映像に対して再生時間が１０分後の縮小映像が表示されている。７６ｄに表示された縮小映像は、７６ａに表示された縮小映像に対して再生時間が１５分後の縮小映像が表示されている。１つの録画番組について５分間隔で再生時間が異なる４個の縮小映像が表示されるので、利用者が番組の内容を早く把握できる。図６の例では、４個の画面に分割されていたが、４個に限るものではない。また再生時間の間隔が５分であったが、利用者によって他の時間間隔に設定が可能である。
【００５４】
図７は、未再生番組表示の処理のフローチャートである。利用者によって画像情報を付属しない音声情報コンテンツが再生された直後に、未再生番組表示処理が開始される。Ｓ１１において、制御部１３は、画像情報を付属しない音声情報コンテンツが再生されたとき、未再生の録画番組を表示する設定となっているか判定する。表示する設定となっていれば、Ｓ１２へ移り、表示する設定になっていない場合には終了する。
【００５５】
Ｓ１２において、未再生番組表示制御部２６は、ＧＵＩデータ生成部２５を介して、画面９に未再生番組映像ウィンドウ７２を表示し、未再生の録画番組の映像を表示する。Ｓ１３において、制御部１３は、即時視聴ボタン７４が利用者によって押下されたか判定する。押下されなければＳ１４へ移る。押下されたならば、Ｓ１８へ移って再生中の音声情報コンテンツを停止し、録画番組の再生モードへ移行し、即時視聴ボタン７４を押下していたときに表示されていた未再生の録画番組を最初から再生する。未再生番組表示処理は終了する。
【００５６】
Ｓ１４において、制御部１３は、お気に入りマーク付加ボタン７５が利用者によって押下されたか判定する。押下されなければＳ１５へ移る。押下されたならば、Ｓ１９へ移って制御部１３は、録画番組の番組情報にお気に入りマークを付加したことを示すデータを付加する。詳細には、録画番組の番組情報にお気に入りマークフラグが設定されており、そのお気に入りマークのフラグを立てることでこの録画番組がお気に入り番組であることを表す。お気に入りマークを付加したことを示すデータを付加した後でＳ１５へ移る。
【００５７】
Ｓ１５において、制御部１３は、未再生の録画番組の表示時間を計測し、利用者が設定した所定時間あるいはデフォルトで設定された所定時間が経過したかを判定する。経過したならば、Ｓ１６へ移り、経過していないならば、Ｓ１３へ戻る。
【００５８】
Ｓ１６において、制御部１３は、音声情報コンテンツの再生が終了したか否かを判定する。音声情報コンテンツの再生が終了していないならば、Ｓ１７へ移る。終了したならば、未再生番組表示処理を終了する。Ｓ１７において、未再生番組表示制御部２６は、未再生番組映像ウィンドウ７２に次の未再生の録画番組の映像を表示し、Ｓ１３に戻る。
【００５９】
図８は、録画番組選択画面７７を示した図である。録画管理部２４は、録画番組のリストを生成してＧＵＩデータ生成部２５を介して画面に表示する機能を有する。録画番組のリストの表示形式は複数あり、それぞれの録画番組の番組情報の一部を表形式で複数の録画番組について一覧表示した画面や録画番組のサムネイルを並べた形式の画面等があり、利用者が設定画面で設定できる。図８は、サムネイル形式の録画番組選択画面７７の例を示した図である。
【００６０】
図８においては、録画番組選択画面７７の中に、９個のサムネイル７８ａ〜７８ｉが表示されている。各サムネイル５３の右側にマーク表示部７９がある。マーク表示部７９の中には、番組が未再生である場合には未再生であることを示す未再生マーク８０が表示される。番組が再生済みである場合には未再生マーク８０は表示されない。
【００６１】
また、マーク表示部７９の中には、利用者がお気に入りマークを設定した場合にはお気に入りマーク８１が表示される。お気に入りマークが設定されていない番組はお気に入りマーク８１は表示されない。お気に入りマーク８１は、再生済みであっても表示される。利用者は、未再生マーク８０とお気に入りマーク８１の有無を確認して、視聴したい録画番組を選択することができる。
【００６２】
図８において、サムネイル７８ａ、７８ｂ、７８ｃ、７８ｄ、７８ｅの右側のマーク表示部７９に未再生マーク８０が表示されている。また、サムネイル７８ｂ、７８ｃ、７８ｈ、７８ｉの右側のマーク表示部７９にお気に入りマーク８１が表示されている。利用者は、サムネイル７８ｂ、７８ｃの録画番組を優先して見ることを容易に認識することができる。なお、録画番組選択画面の表示において、利用者の設定により、未再生番組だけを表示し、再生済みの番組を表示しないようにすることも可能である。
【００６３】
以上のようにすることによって、画像情報を付属しない音声情報コンテンツを再生しているとき、未再生の録画番組を画面に表示して、利用者にとって重要な番組を利用者が認知する機会を得ることができる。利用者が音楽を聴く目的で音楽を再生している間に、録画済みの未再生番組をプレビューしてチェックすることができるため、利用者は再生されている音楽を楽しみながら、偶然に気になる番組の映像が目に飛び込んできた場合はその場でその気になる番組にお気に入りマークをつけておくことで、後でそのマークを目印に気になった番組を視聴することができる。またとりわけその番組の映像が気になる場合は、音楽再生を停止して直ちにその気になる番組を再生して視聴することができる。
【００６４】
（第２の実施形態）
図９は、第２の実施形態に係る録画再生装置９０の構成を示すブロック図である。この第２の実施形態の各部について、図１に示す第１の実施形態の各部と同一部分は同一符号である。この第２の実施形態が第１の実施形態と異なる点は、録画再生装置９０の制御部９１は、録画管理部２４、ＧＵＩデータ生成部２５、未再生番組表示制御部２６の他に録画番組検索キーワード取得部９２の機能を有することである。
【００６５】
録画番組検索キーワード取得部９２は、画像情報を付属しない音声情報コンテンツが再生されているときに、未再生番組映像ウィンドウ７２に表示させる未再生番組をキーワードによって選択するために、録画番組の番組情報の中から利用者が入力した検索キーワードと同じ内容のキーワードを検索して取得する機能を有する。
【００６６】
画像情報を付属しない音声情報コンテンツが再生されているときに、未再生番組映像ウィンドウ７２に表示させる場合、録画番組の未再生番組が多数あるとき、音声情報コンテンツの再生時間によっては、未再生番組映像ウィンドウ７２に表示される番組は未再生番組の全ての番組ではなく一部の番組になる可能性がある。利用者にとって重要な番組を効率的に未再生番組映像ウィンドウ７２に表示させるには、利用者が検索キーワードを入力し、番組情報の中に検索キーワードに合致したキーワードを有する未再生の録画番組を抽出し、これを未再生番組映像ウィンドウ７２に表示させればよい。こうすることにより、利用者にとって重要な番組を認知する機会が増加する。
【００６７】
画像情報を付属しない音声情報コンテンツが再生されているとき、利用者がリモコン５０のメニューボタン５８を押下し、音声情報コンテンツ再生の設定の中から、未再生番組映像表示を選択し、さらにその中から検索キーワード設定を選択し決定ボタンを押下することにより、検索キーワードを入力することが可能となる。
【００６８】
図１０は、画像情報を付属しない音声情報コンテンツが再生されているときに、画面９に表示された検索キーワード入力ウィンドウ９３を示した図である。利用者はリモコン５０の選曲ボタン５２を使用して検索キーワード入力ウィンドウ９３の文字入力ウィンドウ９４内に文字を入力する。
【００６９】
利用者がリモコン５０を使用して検索キーワードを入力すると、操作受信部２１はリモコン５０から検索キーワードのデータを受信してこのデータを制御部１３に送信する。制御部１３は、一旦ＲＡＭ１５に記憶させてから、フラッシュメモリ１７に記憶させる。
【００７０】
録画番組検索キーワード取得部９２は、録画番組の番組情報の中から検索キーワードと同じ内容のキーワードを取得する。番組情報のデータは、放送局名、放送日時、番組名、放送概要、出演者、番組詳細等の個々の番組に関する情報が含まれており、録画番組検索キーワード取得部９２は、番組情報のデータを分析してキーワードを抽出し取得する。録画番組検索キーワード取得部９２は、番組情報に内部に利用者が入力した検索キーワードに合致したキーワードを取得すると、キーワードを有した録画番組の番組情報を未再生番組表示制御部２６へ送信する。
【００７１】
未再生番組表示制御部２６は、録画管理部２４から録画番組が再生済みか未再生かのデータを受け、録画番組検索キーワード取得部９２からキーワードを有した録画番組の番組情報を受けて、未再生の録画番組の映像情報を未再生番組映像ウィンドウ７２に表示に表示する。
【００７２】
このようにすることによって、録画番組の未再生番組が多数あるときでも、画像情報を付属しない音声情報コンテンツを再生しているとき、未再生の録画番組を画面に表示して、利用者にとって重要な番組を利用者が認知する機会を得ることができる。
【００７３】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００７４】
１  録画再生装置１
２  アンテナ
３  チューナ
４  復調器
５  デコード処理部
６  重畳処理部
７  映像処理部
８  表示装置
９  画面
１０  音声処理部
１１  スピーカ
１２  バス
１３  制御部
１４  ＭＰＵ
１５  ＲＡＭ
１６  ＲＯＭ
１７  フラッシュメモリ
１８  記録装置
１９  外部インターフェース
２０  外部記憶装置
２１  操作受信部
２２  操作機器
２３  送受信部
２４  録画管理部
２５  ＧＵＩデータ生成部
２６  未再生番組表示制御部
２９  放送局
３０  ネットワーク
３１  サーバ
４０  筐体
４１  スタンド
４１  表示パネル
５０  リモコン
５２  選局ボタン
５５ａ、５５ｂ、５５ｃ、５５ｄ  カーソルボタン
５６  決定ボタン
５８  メニューボタン
６０  録画番組ボタン
７０  音声情報コンテンツウィンドウ
７１  プログレスバー
７２  未再生番組映像ウィンドウ
７３  未再生番組情報ウィンドウ
７４  即時視聴ボタン
７５  お気に入りマーク付加ボタン
７６  未再生番組映像ウィンドウ
７７  録画番組選択画面
７８ａ〜７８ｉ  サムネイル
７９  マーク表示部
８０  未再生マーク
８１  お気に入りマーク
９０  録画再生装置
９１  制御部
９２  録画番組検索キーワード取得部
９３  検索キーワード入力ウィンドウ
９４  文字入力ウィンドウ
【図１】
2015039060.tif 000003
【図２】
2015039060.tif 000004
【図３】
2015039060.tif 000005
【図４】
2015039060.tif 000006
【図５】
2015039060.tif 000007
【図６】
2015039060.tif 000008
【図７】
2015039060.tif 000009
【図８】
2015039060.tif 000010
【図９】
2015039060.tif 000011
【図１０】
2015039060.tif 000012